(57)【要約】【課題】  嵌合部全体を大きくせずに、防水性、気密性を確保できる。【解決手段】  腕時計ケース１のアンテナ収納部９とカバーパネル１０との各周縁部が互いに嵌合する嵌合部１２の間にパッキン１４を配置して、嵌合部１２の嵌合凸部１５と嵌合凹部１６とを嵌合させると、第１パッキン部１７の平面部１９と断面ほぼ円形状の第２パッキン部１８とが、嵌合凸部１５の先端面とこれに対向する嵌合凹部１６の底面との間に挟み付けられると共に、第１パッキン部１７の側面部２０が固着部１３側における嵌合凸部１５の側面と嵌合凹部１６の側面との間に挟み付けられる。従って、アンテナ収納部９とカバーパネル１０との嵌合部１２における固着部１３を超音波溶着で固着するときに、その固着部１３の樹脂が溶け出しても、第１パッキン部１７の側面部２０によって嵌合部１２内における第２パッキン部１８の密着面に流れ込むのを防ぐことができる。【選択図】        図４
2005091319.tif 000002
【特許請求の範囲】
【請求項１】
部品収納部を有する合成樹脂製のケースと、このケースの前記部品収納部を塞ぐ合成樹脂製のカバー部材と、前記部品収納部の周縁部と前記カバー部材の周縁部とに設けられて互いに嵌合する嵌合部と、この嵌合部の一部が溶着によって固着される固着部と、前記嵌合部の間に配置されるパッキンとを備え、
前記嵌合部は、前記部品収納部の周縁部と前記カバー部材の周縁部との一方に設けられた嵌合凸部と、その他方に設けられた嵌合凹部とからなり、
前記パッキンは、前記嵌合凸部の先端面とこれに対向する前記嵌合凹部の底面との間に配置される平面部、および前記固着部側に位置する前記嵌合凸部の側面とこれに対向する前記嵌合凹部の側面との間に配置される側面部を一体に形成した断面形状がほぼＬ字状の第１パッキン部と、この第１パッキン部の前記平面部に一体に形成された断面形状がほぼ円形状の第２パッキン部とからなることを特徴する防水構造。
【請求項２】
部品収納部を有する合成樹脂製のケースと、このケースの前記部品収納部を塞ぐ合成樹脂製のカバー部材と、前記部品収納部の周縁部と前記カバー部材の周縁部とに設けられて互いに嵌合する嵌合部と、この嵌合部の一部が溶着によって固着される固着部と、前記嵌合部の間に配置される断面形状がほぼ円形状のパッキンとを備え、
前記嵌合部は、前記部品収納部の周縁部と前記カバー部材の周縁部との一方に設けられた嵌合凸部と、その他方に設けられた嵌合凹部とからなり、前記固着部側における前記嵌合凸部の側面には凸側段差部が設けられ、これに対向する前記嵌合凹部の側面には前記凸側段差部の一部に食い込んで密着する凹側段差部が設けられていることを特徴する防水構造。
【請求項３】
部品収納部を有する合成樹脂製のケースと、このケースの前記部品収納部を塞ぐ合成樹脂製のカバー部材と、前記部品収納部の周縁部と前記カバー部材の周縁部とに設けられて互いに嵌合する嵌合部と、この嵌合部の一部が溶着によって固着される固着部と、前記嵌合部の間に配置されるパッキンとを備え、
前記嵌合部は、前記部品収納部の周縁部と前記カバー部材の周縁部との一方に設けられた嵌合凸部と、その他方に設けられた嵌合凹部とからなり、前記嵌合凸部の先端面とこれに対向する前記嵌合凹部の底面とのうち、少なくとも前記嵌合凸部の先端面には前記パッキンが食い込むほぼＶ字形状の溝部が設けられていることを特徴する防水構造。
【請求項４】
前記パッキンは、前記嵌合凸部の先端面とこれに対向する前記嵌合凹部の底面との間に配置される平面部、および前記固着部側における前記嵌合凸部の側面と前記嵌合凹部の側面との間に配置される側面部を一体に形成した断面形状がほぼＬ字状の第１パッキン部と、この第１パッキン部の前記平面部に一体に形成された断面形状がほぼ円形状の第２パッキン部とからなることを特徴する請求項３に記載の防水構造。
【請求項５】
前記パッキンは、断面形状がほぼ円形状に形成され、前記固着部側における前記嵌合凸部の側面には凸側段差部が設けられ、これに対向する前記嵌合凹部の側面には前記凸側段差部の一部に食い込んで密着する凹側段差部が設けられていることを特徴する請求項３に記載の防水構造。
【発明の詳細な説明】
【技術分野】
【０００１】
この発明は、電子腕時計や携帯電話機などの電子機器における防水構造に関する。
【背景技術】
【０００２】
従来、電子腕時計においては、アンテナを内蔵した電波時計がある。この種の電子腕時計は、内蔵したアンテナで基準時刻の電波を受信して時刻を自動的に修正するものであり、アンテナで電波を受信するために、合成樹脂製の腕時計ケースを備え、この腕時計ケースの一部、例えば１２時側の一部を側方に延出させ、この延出部にアンテナを収納するアンテナ収納部を上側に開口させて設け、このアンテナ収納部にこれを塞ぐ合成樹脂製のカバー部材を超音波溶着によって固着することにより、防水性を図ってアンテナを保護するように構成したものがある。
【０００３】
このような電子腕時計では、落下などの衝撃に対するカバー部材の強度を確保するため、カバー部材としてガラス繊維を混入した合成樹脂を用いる必要があり、このような場合には、超音波溶着でカバー部材の周縁部をアンテナ収納部の周縁部に固着しただけでは防水性が確保できないため、アンテナ収納部の周縁部とカバー部材の周縁部とが互いに嵌合する嵌合部の間にパッキンを設けている。
【０００４】
しかしながら、このような電子腕時計では、カバー部材の周縁部とアンテナ収納部の周縁部とが互いに嵌合する嵌合部の一部を超音波溶着するときに、溶け出した樹脂が嵌合部内におけるパッキンの密着面に流れ込むと、この流れ込んだ樹脂によってパッキンによる防水性および気密性が低下し、十分な防水性および気密性を確保することができないという問題がある。
【０００５】
なお、このような問題を防ぐため、カバー部材の周縁部とアンテナ収納部の周縁部とが互いに嵌合する嵌合部に、超音波溶着時に溶け出した樹脂がパッキンの密着面に流れ込むのを防ぐ防御壁部を一体に形成した構造のものもあるが、このような構造では、防御壁部によって嵌合部の幅方向における厚みが厚くなり、嵌合部全体が大きくなるという問題がある。
【特許文献１】特開２００２−９８７８０号公報
【発明の開示】
【発明が解決しようとする課題】
【０００６】
この発明が解決しようとする問題点は、嵌合部全体が大きくならずに、防水性および気密性を確保することができない点にある。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図５に示すように、部品収納部（アンテナ収納部９）を有する合成樹脂製のケース（腕時計ケース１）と、このケースの前記部品収納部を塞ぐ合成樹脂製のカバー部材（カバーパネル１０）と、前記部品収納部の周縁部と前記カバー部材の周縁部とに設けられて互いに嵌合する嵌合部（１２）と、この嵌合部の一部が溶着によって固着される固着部（１３）と、前記嵌合部の間に配置されるパッキン（１４）とを備え、
前記嵌合部は、前記部品収納部の周縁部と前記カバー部材の周縁部との一方に設けられた嵌合凸部（１５）と、その他方に設けられた嵌合凹部（１６）とからなり、前記パッキンは、前記嵌合凸部の先端面とこれに対向する前記嵌合凹部の底面との間に配置される平面部（１９）、および前記固着部側に位置する前記嵌合凸部の側面とこれに対向する前記嵌合凹部の側面との間に配置される側面部（２０）を一体に形成した断面形状がほぼＬ字状の第１パッキン部（１７）と、この第１パッキン部の前記平面部に一体に形成された断面形状がほぼ円形状の第２パッキン部（１８）とからなることを特徴する防水構造である。
【０００９】
請求項２に記載の発明は、図６および図７に示すように、部品収納部（アンテナ収納部９）を有する合成樹脂製のケース（腕時計ケース１）と、このケースの前記部品収納部を塞ぐ合成樹脂製のカバー部材（カバーパネル１０）と、前記部品収納部の周縁部と前記カバー部材の周縁部とに設けられて互いに嵌合する嵌合部（４０）と、この嵌合部の一部が溶着によって固着される固着部（４１）と、前記嵌合部の間に配置される断面形状がほぼ円形状のパッキン（４２）とを備え、
前記嵌合部は、前記部品収納部の周縁部と前記カバー部材の周縁部との一方に設けられた嵌合凸部（４３）と、その他方に設けられた嵌合凹部（４４）とからなり、前記固着部側における前記嵌合凸部の側面には凸側段差部（４５）が設けられ、これに対向する前記嵌合凹部の側面には前記凸側段差部の一部に食い込んで密着する凹側段差部（４６）が設けられていることを特徴する防水構造である。
【００１０】
請求項３に記載の発明は、図８〜図１３に示すように、部品収納部（アンテナ収納部９）を有する合成樹脂製のケース（腕時計ケース１）と、このケースの前記部品収納部を塞ぐ合成樹脂製のカバー部材（カバーパネル１０）と、前記部品収納部の周縁部と前記カバー部材の周縁部とに設けられて互いに嵌合する嵌合部（５０、６０、７０）と、この嵌合部の一部が溶着によって固着される固着部（５１、６１、７１）と、前記嵌合部の間に配置されるパッキンと（４１、６２、７２）を備え、
前記嵌合部は、前記部品収納部の周縁部と前記カバー部材の周縁部との一方に設けられた嵌合凸部（５２、６３、７３）と、その他方に設けられた嵌合凹部（５３、６４、７４）とからなり、前記嵌合凸部の先端面とこれに対向する前記嵌合凹部の底面とのうち、少なくとも前記嵌合凸部の先端面には前記パッキンが食い込むほぼＶ字形状の溝部（５４、７５）が設けられていることを特徴する防水構造である。
【００１１】
請求項４に記載の発明は、図１０および図１１に示すように、前記パッキン（６２）が、前記嵌合凸部（６３）の先端面とこれに対向する前記嵌合凹部（６４）の底面との間に配置される平面部（１９）、および前記固着部（６１）側における前記嵌合凸部の側面と前記嵌合凹部の側面との間に配置される側面部（２０）を一体に形成した断面形状がほぼＬ字状の第１パッキン部（１７）と、この第１パッキン部の前記平面部に一体に形成された断面形状がほぼ円形状の第２パッキン部（１８）とからなることを特徴する請求項３に記載の防水構造である。
【００１２】
請求項５に記載の発明は、図１２および図１３に示すように、前記パッキン（７２）が、断面ほぼ円形状に形成され、前記固着部（７１）側における前記嵌合凸部（７３）の側面には凸側段差部（７６）が設けられ、これに対向する前記嵌合凹部（７４）の側面には前記凸側段差部の一部に食い込んで密着する凹側段差部（７７）が設けられていることを特徴する請求項３に記載の防水構造である。
【発明の効果】
【００１３】
請求項１に記載の発明によれば、ケースの部品収納部の周縁部とカバー部材の周縁部とが互いに嵌合する嵌合部の間にパッキンを配置して、嵌合部の嵌合凸部と嵌合凹部とを嵌合させるときに、第１パッキン部の平面部とこの平面部に一体に形成された断面ほぼ円形状の第２パッキン部とが、嵌合凸部の先端面とこれに対向する嵌合凹部の底面との間に挟み付けられると共に、第１パッキン部の側面部が固着部側における嵌合凸部の側面と嵌合凹部の側面との間に挟み付けられるので、この状態で嵌合部の固着部を溶着によって固着するときに、その固着部の樹脂が溶け出しても、固着部側における嵌合凸部の側面と嵌合凹部の側面との間に挟み付けられた第１パッキン部の側面部によって、溶け出した樹脂が第２パッキン部の密着面に流れ込むのを防ぐことができ、これにより防水性および気密性を確保することができる。
【００１４】
この場合には、特に第１パッキン部が、嵌合凸部の先端面とこれに対向する嵌合凹部の底面との間に挟み付けられる平面部と、固着部側における嵌合凸部の側面と嵌合凹部の側面との間に挟み付けられる側面部とからなり、この側面部で第２パッキン部の密着面への樹脂の流れ込みを防いでいるので、従来例のようにカバー部材の周縁部とアンテナ収納部の周縁部とが互いに嵌合する嵌合部に、パッキンの密着面への樹脂の流れ込みを防ぐ防御壁部を設ける必要がない。このため、嵌合部の形状が簡単になり、その製作も容易になるばかりか、従来例に比べて嵌合部全体の幅方向における厚みを薄くすることができると共に、嵌合凸部と嵌合凹部との食い込み量（被り量）をも小さくすることができ、これにより嵌合部全体を小さくすることができる。
【００１５】
請求項２に記載の発明によれば、ケースの部品収納部の周縁部とカバー部材の周縁部とが互いに嵌合する嵌合部の間に断面ほぼ円形状のパッキンを配置して、嵌合部の嵌合凸部と嵌合凹部とを嵌合させると、固着部側に位置する嵌合凸部の凸側段差部の一部に嵌合凹部の凹側段差部が食い込んで密着し、この状態で嵌合部の固着部を溶着によって固着するときに、その固着部の樹脂が溶け出しても、凸側段差部の一部に凹側段差部が食い込んで密着していることにより、溶け出した樹脂がパッキンの密着面に流れ込むのを防ぐことができ、これにより防水性および気密性を確保することができる。
【００１６】
この場合にも、嵌合凸部と嵌合凹部とを嵌合させると、固着部側における嵌合凸部の側面に設けられた凸側段差部の一部に嵌合凹部の凹側段差部が食い込んで密着して、パッキンの密着面への樹脂の流れ込みを防いでいるので、従来例のようにカバー部材の周縁部とアンテナ収納部の周縁部とが互いに嵌合する嵌合部に、パッキンの密着面への樹脂の流れ込みを防ぐ防御壁部を設ける必要がない。このため、従来例に比べて嵌合部の幅方向における厚みを薄くすることができると共に、嵌合凸部と嵌合凹部との食い込み量（被り量）をも小さくすることができ、これにより嵌合部全体を小さくすることができる。
【００１７】
請求項３に記載の発明によれば、ケースの部品収納部の周縁部とカバー部材の周縁部とが嵌合する嵌合部の間にパッキンを配置して、嵌合部の嵌合凸部と嵌合凹部とを嵌合させると、嵌合凸部の先端面とこれに対向する嵌合凹部の底面とのうち、少なくとも嵌合凸部の先端面に設けられたほぼＶ字形状の溝部にパッキンが食い込むので、パッキンをほぼＶ字形状の溝部内における対向面にそれぞれ圧接させることができる。この状態で、嵌合部の固着部を溶着によって固着するときに、その固着部の樹脂が溶け出して嵌合部内のパッキン部分に流れ込んでも、パッキンがほぼＶ字形状の溝部内における対向面の両方にそれぞれ圧接していることにより、防水性および気密性を確保することができる。
【００１８】
この場合にも、嵌合部における少なくとも嵌合凸部の先端面に設けられたほぼＶ字形状の溝部にパッキンを食い込ませて防水性および気密性を確保しているので、従来例のようにカバー部材の周縁部とアンテナ収納部の周縁部とが互いに嵌合する嵌合部に、パッキンの密着面への樹脂の流れ込みを防ぐ防御壁部を設ける必要がない。このため、請求項１に記載の発明と同様、嵌合部の形状が簡単になり、その製作も容易になるばかりか、請求項１に記載の発明よりも嵌合部の幅方向における厚みを薄くすることができると共に、嵌合凸部と嵌合凹部との食い込み量（被り量）をも小さくすることができ、これにより嵌合部全体を、より一層、小さくすることができる。
【００１９】
請求項４に記載の発明によれば、請求項３に記載の発明と同様、パッキンがほぼＶ字形状の溝部内における対向面の両方にそれぞれ圧接することにより、防水性および気密性を確保することができるほか、特に嵌合部の嵌合凸部と嵌合凹部との間にパッキンを配置して、嵌合部の嵌合凸部と嵌合凹部とを嵌合させると、第１パッキン部の平面部と断面ほぼ円形状の第２パッキン部とが、嵌合凸部の先端面とこれに対向する嵌合凹部の底面との間に挟み付けられると共に、第１パッキン部の側面部が固着部側における嵌合凸部の側面と嵌合凹部の側面との間に挟み付けられるので、嵌合部の固着部を溶着によって固着するときに、その固着部の樹脂が溶け出しても、請求項１に記載の発明と同様、第１パッキン部の側面部によって、溶け出した樹脂が第２パッキン部の密着面に流れ込むのを防ぐことができ、これによっても防水性および気密性を確保することができるので、より一層、防水性および気密性の高いものを得ることができる。
【００２０】
請求項５に記載の発明によれば、請求項３に記載の発明と同様、パッキンがほぼＶ字形状の溝部内における対向面の両方にそれぞれ圧接することにより、防水性および気密性を確保することができるほか、特に嵌合部の嵌合凸部と嵌合凹部とを嵌合させると、固着部側に位置する嵌合凸部の凸側段差部の一部に嵌合凹部の凹側段差部が食い込んで密着するので、請求項２に記載の発明と同様、嵌合部の固着部を溶着によって固着するときに、その固着部の樹脂が溶け出しても、溶け出した樹脂がパッキン部の密着面に流れ込むのを防ぐことができ、これによっても防水性および気密性を確保することができるので、より一層、防水性および気密性の高いものを得ることができる。
【発明を実施するための最良の形態】
【００２１】
（実施形態１）
以下、図１〜図５を参照して、この発明を電子腕時計に適用した実施形態１について説明する。
図１は電子腕時計の正面図、図２はそのＡ−Ａ矢視における拡大断面図である。
この電子腕時計は、図１および図２に示すように、合成樹脂製の腕時計ケース１を備えている。この腕時計ケース１の上面における外周部には、図１に示すように、ベゼル２が装着されており、この腕時計ケース１の上面における中央部には、時計ガラス３が溶着によって取り付けられている。また、この腕時計ケース１の内部には、図２に示すように、時計モジュール４が収納されており、この腕時計ケース１の下面には、裏蓋５が防水リング６を介して取り付けられている。
【００２２】
この腕時計ケース１の１２時側と６時側とには、図１に示すように、バンド取付部７がそれぞれ側方に突出した状態で一体に設けられている。これらバンド取付部７のうち、１２時側のバンド取付部７には、図２に示すように、アンテナ８を収納するアンテナ収納部９が上面側に開口されて設けられており、このアンテナ収納部９には、その内部に収納されたアンテナ８を保護するためのカバーパネル１０が超音波溶着によって取り付けられている。この場合、カバーパネル１０は、合成樹脂からなり、その一部つまり３時側（図１では右側）のほぼ半分程度がベゼル２に設けられた押え部１１によって覆われて保護されている。なお、アンテナ８は、アンテナ収納部９に収納された状態で、接続線８ａによって腕時計ケース１内の時計モジュール４と電気的に接続されている。
【００２３】
ところで、アンテナ収納部９とカバーパネル１０との防水構造は、図３および図４に示すように、アンテナ収納部９とカバーパネル１０との各周縁部に設けられて互いに嵌合する嵌合部１２と、この嵌合部１２の互いに対応する一部が超音波溶着によって固着される固着部１３と、嵌合部１２の間に配置されるパッキン１４とを備えている。嵌合部１２は、図４に示すように、アンテナ収納部９の周縁部に設けられた嵌合凸部１５と、カバーパネル１０の周縁部に設けられた嵌合凹部１６とからなり、この嵌合凸部１５の突出した先端部における固着部１３側（図４では右側に位置する内側）の側面には、切欠き溝１５ａが設けられている。また、固着部１３は、嵌合凸部１５と嵌合凹部１６との内側下部（図４では右側下部）に位置し、その個所における両者が超音波溶着によって固着されるように構成されている。
【００２４】
また、パッキン１４は、図４に示すように、断面形状がほぼＬ字状の第１パッキン部１７と、断面形状がほぼ円形状の第２パッキン部１８とを、ゴムなどの合成樹脂によって一体に形成した構成になっている。すなわち、第１パッキン部１７は、嵌合部１２の嵌合凸部１５の先端面とこれに対向する前記嵌合凹部１６の底面との間に配置される平面部１９、および固着部１３側に位置する嵌合凸部１５の側面とこれに対向する嵌合凹部１６の側面との間に位置する切欠き溝１５ａ内に配置される側面部２０からなり、これら平面部１９と側面部２０とを一体に形成することにより、断面形状がほぼＬ字状に形成されている。第２パッキン部１８は、断面形状がほぼ円形状に形成され、第１パッキン部１７の平面部１９に一体に形成されている。
【００２５】
このような電子腕時計におけるアンテナ収納部９とカバーパネル１０との防水構造では、腕時計ケース１の一部であるアンテナ収納部９とカバーパネル１０との各周縁部に設けられて互いに嵌合する嵌合部１２の間に、断面形状がほぼＬ字状の第１パッキン部１７と断面形状がほぼ円形状の第２パッキン部１８とからなるパッキン１４を配置して、嵌合部１２の嵌合凸部１５と嵌合凹部１６とを嵌合させると、第１パッキン部１７の平面部１９と断面ほぼ円形状の第２パッキン部１８とが嵌合凸部１５の先端面とこれに対向する嵌合凹部１６の底面との間に挟み付けられると共に、第１パッキン部１７の側面部２０が固着部１３側における嵌合凸部１５の側面と嵌合凹部１６の側面との間に位置する切欠き溝１５ａ内に挟み付けられる。
【００２６】
このため、この状態で合成樹脂製の腕時計ケース１の一部であるアンテナ収納部９と合成樹脂製のカバーパネル１０との嵌合部１２における固着部１３を超音波溶着によって固着するときに、その固着部１３の樹脂が溶け出しても、固着部１３側（図４では右側）に位置する嵌合凸部１５の側面と嵌合凹部１６の側面との間に設けられた切欠き溝１５ａ内に挟み付けられて密着した第１パッキン部１７の側面部２０によって、溶け出した樹脂が嵌合部１２内における第２パッキン部１８の密着面に流れ込むのを防ぐことができ、これにより第１、第２パッキン部１７、２０からなるパッキン１４によって防水性および気密性を確保することができる。
【００２７】
この場合、特に第１パッキン部１７が、嵌合凸部１５の先端面とこれに対向する嵌合凹部１６の底面との間に挟み付けられる平面部１９、および固着部１３側（図４では右側）に位置する嵌合凸部１５の側面と嵌合凹部１６の側面との間に位置する切欠き溝１５ａ内に挟み込まれて密着する側面部２０とからなり、この側面部２０で嵌合部１２内における第２パッキン部１８の密着面への樹脂の流れ込みを防いでいるので、従来例のものよりも、構造が簡単で、嵌合部１２全体を小さく形成することができる。
【００２８】
すなわち、従来例では、図５に示すように、アンテナ収納部９とカバーパネル１０との各周縁部に設けられて互いに嵌合する嵌合部２５の嵌合凸部２６に、断面ほぼ円形状のパッキン２７が配置される凸部２８を設けると共に、この凸部２８の固着部２９側にその上方へ更に突出する防御壁部３０を設け、この嵌合凸部２６が嵌合する嵌合凹部３１に、嵌合凸部２６の凸部２８が嵌合する凹部３２と、防御壁部３０が嵌合する防御凹部３３とを設け、これら嵌合凸部２６と嵌合凹部３１とを嵌合させた状態で、その内側下部（図５では右側下部）の固着部２９を超音波溶着によって固着している。このときに、その固着部２９の樹脂が溶けて流れ出しても、嵌合凸部２６の防御壁部３０によってパッキン２７への樹脂の流れ込みを防いでいる。
【００２９】
しかし、このような従来例の構造では、固着部２９を超音波溶着で固着するときに、その固着部２９の樹脂が溶けて流れ出しても、嵌合凸部２６の防御壁部３０によってパッキン２７への樹脂の流れ込みを防ぐことはできるが、嵌合部２５の幅方向の厚み、つまり嵌合凸部２６全体の幅方向の厚みＴ１が、嵌合凹部３１の外側縁部に対応する厚みＡと、凸部２８の厚みＢと、防御壁部３０の厚みＣと、嵌合凹部３１の内側縁部に対応する厚みＤとの合計（Ｔ１＝Ａ＋Ｂ＋Ｃ＋Ｄ）となり、嵌合凸部２６と嵌合凹部３１との食い込み量（被り量Ｈ１）も大きくなる。
【００３０】
これに対し、この実施形態１の嵌合部１２は、図３および図４に示すように、防御壁部３０を設ける必要がないので、その分、嵌合部１２の形状が簡単になり、その製作も容易になるばかりか、従来例に比べて嵌合部１２の幅方向（図３では左右の横方向）の厚み、つまり嵌合凸部１５の幅方向の厚みＴ２を小さくすることができると共に、嵌合凸部１５と嵌合凹部１６との高さ方向（図３では上下の縦方向）における食い込み量（被り量Ｈ２）をも小さくすることができる。
【００３１】
すなわち、この実施形態１における嵌合凸部１５の幅方向の厚みＴ２は、嵌合凹部１６の外側縁部に対応する厚みＡと、嵌合凸部１５の凸部の厚みＢ＋αと、嵌合凹部１６の内側縁部に対応する厚みＤとの合計（Ｔ２＝Ａ＋Ｂ＋α＋Ｄ）となり、第１パッキン部１７の側面部２０の厚みαが従来例の防御壁部３０の厚みＣに比べて大幅に小さい（α＜Ｃ）。このため、従来例に比べて、嵌合部１２全体の厚みＴ２を薄くする（Ｔ２＜Ｔ１）ことができると共に、嵌合凸部１５と嵌合凹部１６との食い込み量（被り量Ｈ２）を従来のものよりも、防御壁部３０の突出した分だけ小さくする（Ｈ２＜Ｈ１）ことができ、これにより嵌合部１２全体を小さくすることができる。
【００３２】
（実施形態２）
次に、図６および図７を参照して、この発明を電子腕時計に適用した実施形態２について説明する。なお、図１〜図５に示された実施形態１と同一部分には同一符号を付して説明する。
この電子腕時計におけるアンテナ収納部９とカバーパネル１０との防水構造は、図６および図７に示すように、アンテナ収納部９とカバーパネル１０との各周縁部に設けられて互いに嵌合する嵌合部４０と、この嵌合部４０の互いに対応する一部が超音波溶着によって固着される固着部４１と、嵌合部４０の間に配置されるパッキン４２とを備えた構造で、これ以外は実施形態１とほぼ同じ構造になっている。
【００３３】
この場合、パッキン４２は、断面形状がほぼ円形状に形成された単純な形状の構造になっている。嵌合部４０は、アンテナ収納部９の周縁部に設けられた嵌合凸部４３と、カバーパネル１０の周縁部に設けられた嵌合凹部４４とからなり、この嵌合凸部４３における固着部４１側（図７では右側に位置する内側）の側面には、凸側段差部４５が設けられており、これに対向する嵌合凹部４４の側面には、凸側段差部４５の一部に食い込んで密着する凹側段差部４６が設けられている。また、固着部４１は、嵌合凸部４３と嵌合凹部４４との内側下部（図７では右側下部）に位置し、その個所における両者が超音波溶着によって固着されるように構成されている。
【００３４】
このような電子腕時計におけるアンテナ収納部９とカバーパネル１０との防水構造では、アンテナ収納部９とカバーパネル１０との各周縁部が互いに嵌合する嵌合部４０の間に断面ほぼ円形状のパッキン４２を配置して、嵌合部４０の嵌合凸部４３と嵌合凹部４４とを嵌合させると、固着部４１側に位置する嵌合凸部４３の側面と嵌合凹部４４の側面とが密着した状態で、固着部４１側に位置する嵌合凸部４３の凸側段差部４５の一部に嵌合凹部４４の凹側段差部４６が食い込んで密着する。すなわち、嵌合凸部４３の凸側段差部４５における上面の一部に嵌合凹部４４の凹側段差部４６における下面の一部が密着して当接する。
【００３５】
このため、この状態でアンテナ収納部９とカバーパネル１０との嵌合部４０における固着部４１を超音波溶着によって固着するときに、その固着部４１の樹脂が溶け出しても、固着部４１側に位置する嵌合凸部４３の側面と嵌合凹部４４の側面とが密着した状態で、凸側段差部４５の一部に凹側段差部４６が食い込んで密着しているので、溶け出した固着部４１の樹脂が嵌合部４０内におけるパッキン４２の密着面に流れ込むのを防ぐことができ、これにより防水性および気密性を確保することができる。
【００３６】
この場合にも、固着部４１側における嵌合凸部４３の側面に設けられた凸側段差部４５の一部に嵌合凹部４４の凹側段差部４６が食い込んで密着した状態で嵌合凸部４３と嵌合凹部４４とが嵌合することにより、パッキン４２の密着面への樹脂の流れ込みを防いでいるので、図５に示した従来例のようにアンテナ収納部９とカバーパネル１０との嵌合部４０にパッキン４２の密着面への樹脂の流れ込みを防ぐ防御壁部３０を設ける必要がない。このため、この実施形態２においても、実施形態１と同様、従来例に比べて嵌合部４０の幅方向（図６では左右の横方向）における厚みを薄くすることができると共に、嵌合凸部４３と嵌合凹部４４との高さ方向（図６では上下の縦方向）の食い込み量（被り量）をも小さくすることができ、これにより嵌合部４０全体を小さくすることができる。
【００３７】
（実施形態３）
次に、図８および図９を参照して、この発明を電子腕時計に適用した実施形態３について説明する。この場合には、図１〜図５に示された実施形態１、および図６、図７に示された実施形態２と同一部分に同一符号を付して説明する。
この電子腕時計におけるアンテナ収納部９とカバーパネル１０との防水構造は、図８および図９に示すように、アンテナ収納部９とカバーパネル１０との各周縁部に設けられて互いに嵌合する嵌合部５０と、この嵌合部５０の互いに対応する一部が超音波溶着によって固着される固着部５１と、嵌合部５０の間に配置されるパッキン４２とを備えた構造で、これ以外は実施形態１、２とほぼ同じ構造になっている。
【００３８】
この場合、パッキン４２は、実施形態２と同様、断面形状がほぼ円形状に形成された単純な形状の構造になっている。嵌合部５０は、図９に示すように、アンテナ収納部９の周縁部に設けられた嵌合凸部５２と、カバーパネル１０の周縁部に設けられた嵌合凹部５３とからなり、嵌合凸部５２の先端面には、パッキン４２が食い込むほぼＶ字形状の溝部５４が設けられている。また、固着部５１は、嵌合凸部５２と嵌合凹部５３との内側下部（図９では右側下部）に位置し、その個所における両者が超音波溶着によって固着されるように構成されている。
【００３９】
このような電子腕時計におけるアンテナ収納部９とカバーパネル１０との防水構造では、アンテナ収納部９とカバーパネル１０との各周縁部が互いに嵌合する嵌合部５０の間に断面ほぼ円形状のパッキン４２を配置して、嵌合部５０の嵌合凸部５２と嵌合凹部５３とを嵌合させると、嵌合凸部５２の先端面に設けられた溝部５４がほぼＶ字形状に形成されているので、このほぼＶ字形状の溝部５４にパッキン４２を食い込ませることができ、これによりパッキン４２をほぼＶ字形状の溝部５４内における対向面にそれぞれ圧接させることができる。
【００４０】
このため、この状態でアンテナ収納部９とカバーパネル１０との嵌合部５０における固着部５１を超音波溶着によって固着するときに、その固着部５１の樹脂が溶け出してパッキン４２の部分に流れ込んでも、パッキン４２がほぼＶ字形状の溝部５４内における対向面の両方にそれぞれ圧接しているので、防水性および気密性を確保することができる。この場合、仮に、ほぼＶ字形状の溝部５４の対向面のうち、一方の面に圧接したパッキン４２の部分に固着部５１の樹脂が流れ込んでも、溝部５４の対向面の他方の面にもパッキン４２が圧接しているので、この他方の面に圧接したパッキン４２の部分によって防水性および気密性を確保することができる。
【００４１】
また、この場合にも、嵌合凸部５２の先端面に設けられたほぼＶ字形状の溝部５４にパッキン４２を食い込ませて防水性および気密性を確保しているので、図５に示した従来例のようにアンテナ収納部９とカバーパネル１０との嵌合部５０にパッキン４２の密着面への樹脂の流れ込みを防ぐ防御壁部３０を設ける必要がなく、しかもこの実施形態３では、実施形態１のような第１パッキン１７の側面部２０が不要である。このため、この実施形態３では、実施形態１よりも嵌合部５０の幅方向における厚みを更に薄くすることができると共に、嵌合凸部５２と嵌合凹部５３との高さ方向における食い込み量（被り量）も小さくすることができ、これにより嵌合部５０全体を、より一層、小さくすることができる。
【００４２】
（実施形態４）
次に、図１０および図１１を参照して、この発明を電子腕時計に適用した実施形態４について説明する。この場合にも、図１〜図５に示された実施形態１と同一部分には同一符号を付して説明する。
この電子腕時計におけるアンテナ収納部９とカバーパネル１０との防水構造は、図１０および図１１に示すように、アンテナ収納部９とカバーパネル１０との各周縁部に設けられて互いに嵌合する嵌合部６０と、この嵌合部６０の互いに対応する一部が超音波溶着によって固着される固着部６１と、嵌合部６０の間に配置されるパッキン６２とを備えた構造で、これ以外は実施形態１とほぼ同じ構造になっている。
【００４３】
この場合、嵌合部６０は、図１０に示すように、アンテナ収納部９の周縁部に設けられた嵌合凸部６３と、カバーパネル１０の周縁部に設けられた嵌合凹部６４とからなり、この嵌合凸部６３の突出した先端面には、実施形態３と同様、パッキン６２が食い込むほぼＶ字状の溝部６５が設けられていると共に、この先端部における固着部６１側（図１１では右側に位置する内側）の側面には、切欠き溝６６が設けられている。また、固着部６１は、嵌合凸部６３と嵌合凹部６４との内側下部（図１１では右側下部）に位置し、その個所における両者が超音波溶着によって固着されるように構成されている。
【００４４】
また、パッキン６２は、実施形態１と同様、断面形状がほぼＬ字状の第１パッキン部１７と、断面形状がほぼ円形状の第２パッキン部１８とを、ゴムなどの合成樹脂によって一体に形成した構成になっている。すなわち、第１パッキン部１７は、図１１に示すように、嵌合部６０の嵌合凸部６３の先端面とこれに対向する前記嵌合凹部６４の底面との間に配置される平面部１９、および固着部６１側に位置する嵌合凸部６３の側面とこれに対向する嵌合凹部６４の側面との間に位置する切欠き溝６６内に配置される側面部２０からなり、これら平面部１９と側面部２０とを一体に形成することにより、断面形状がほぼＬ字状に形成されている。第２パッキン部１８は、断面形状がほぼ円形状に形成され、第１パッキン部１７の平面部１９に一体に形成されている。
【００４５】
このような電子腕時計におけるアンテナ収納部９とカバーパネル１０との防水構造では、アンテナ収納部９とカバーパネル１０との各周縁部が互いに嵌合する嵌合部５０の間にパッキン６２を配置して、嵌合部６０の嵌合凸部６３と嵌合凹部６４とを嵌合させると、嵌合凸部６３の先端面に設けられたほぼＶ字形状の溝部６５にパッキン６２の第２パッキン部１８が食い込むので、実施形態３と同様、パッキン４２をほぼＶ字形状の溝部５４内における対向面にそれぞれ圧接させることができ、これにより防水性および気密性を確保することができる。
【００４６】
このときには、特に第１パッキン部１７の平面部１９と断面ほぼ円形状の第２パッキン部１８とが嵌合凸部１５の先端面とこれに対向する嵌合凹部１６の底面との間に挟み付けられると共に、第１パッキン部１７の側面部２０が固着部１３側における嵌合凸部１５の側面と嵌合凹部１６の側面との間の切欠き溝６６内に挟み込まれて密着するので、実施形態１と同様、固着部６１を超音波溶着するときに、固着部６１の樹脂が溶け出しても、第１パッキン部１７の側面部２０によって嵌合部１２内における第２パッキン部１８の密着面への流れ込みを防ぐことができ、これによっても防水性および気密性を確保することができるので、より一層、防水性および気密性の高いものを得ることができる。
【００４７】
（実施形態５）
次に、図１２および図１３を参照して、この発明を電子腕時計に適用した実施形態５について説明する。この場合には、図６および図７に示された実施形態２と同一部分に同一符号を付して説明する。
この電子腕時計におけるアンテナ収納部９とカバーパネル１０との防水構造は、図１２および図１３に示すように、アンテナ収納部９とカバーパネル１０との各周縁部に設けられて互いに嵌合する嵌合部７０と、この嵌合部７０の互いに対応する一部が超音波溶着によって固着される固着部７１と、嵌合部７０の間に配置されるパッキン７２とを備えた構造で、これ以外は実施形態２とほぼ同じ構造になっている。
【００４８】
この場合、パッキン７２は、実施形態２と同様、断面形状がほぼ円形状に形成された単純な形状の構造になっている。嵌合部７０は、アンテナ収納部９の周縁部に設けられた嵌合凸部７３と、カバーパネル１０の周縁部に設けられた嵌合凹部７４とからなり、この嵌合凸部７３の先端面には、パッキン７２が食い込むほぼＶ字形状の溝部７５が設けられている。また、この嵌合凸部７３における固着部７１側（図１３では右側に位置する内側）の側面には、凸側段差部７６が設けられており、これに対向する嵌合凹部７４の側面には、凸側段差部７６の一部に食い込んで密着する凹側段差部７７が設けられている。固着部７１は、嵌合凸部７３と嵌合凹部７４との内側下部（図１３では右側下部）に位置し、その個所における両者が超音波溶着によって固着されるように構成されている。
【００４９】
このような電子腕時計におけるアンテナ収納部９とカバーパネル１０との防水構造では、アンテナ収納部９とカバーパネル１０との周縁部が互いに嵌合する嵌合部５０の間にパッキン６２を配置して、嵌合部６０の嵌合凸部６３と嵌合凹部６４とを嵌合させると、嵌合凸部６３の先端面に設けられたほぼＶ字形状の溝部７５にパッキン６２の第２パッキン部１８が食い込むので、実施形態３と同様、パッキン４２をほぼＶ字形状の溝部５４内における対向面にそれぞれ圧接させることができ、これにより防水性および気密性を確保することができる。
【００５０】
このときには、特に固着部７１側に位置する嵌合凸部７３の側面と嵌合凹部７４の側面とが密着した状態で、嵌合凸部７３の凸側段差部７６の一部に嵌合凹部７４の凹側段差部７７が食い込んで密着するので、実施形態２と同様、固着部７１を超音波溶着するときに、その固着部７１の樹脂が溶け出しても、この溶け出した固着部４１の樹脂が嵌合部７０内におけるパッキン７２の密着面に流れ込むのを防ぐことができ、これによっても防水性および気密性を確保することができるので、実施形態４と同様、より一層、防水性および気密性の高いものを得ることができる。
【００５１】
なお、上記実施形態３〜５では、嵌合凸部５２、６３、７３の先端面のみにパッキン４２、６２、７２が食い込むほぼＶ字形状の溝部５４、６５、７５を設けたが、これに限らず、嵌合凸部５２、６３、７３の先端面に対応する嵌合凹部５３、６４、７４の底面にもパッキン４２、６２、７２が食い込むほぼＶ字形状の溝部を設けても良い。このようにすれば、より一層、防水性および気密性の高いものを得ることができる。
【００５２】
また、上記実施形態１〜５およびその変形例では、嵌合部１２、４０、５０、６０、７０が、アンテナ収納部９の周縁部に嵌合凸部１５、４３、５２、６３、７３を設け、カバーパネル１０の周縁部に嵌合凹部１６、４４、５３、６４、７４を設けた構造になっている場合について述べたが、これに限らず、例えばアンテナ収納部９の周縁部に嵌合凹部を設け、カバーパネル１０の周縁部に嵌合凸部を設けた構造でも良い。
【００５３】
また、上記実施形態１〜５およびその各変形例では、腕時計ケース１のバンド取付部７にアンテナ収納部９を設け、このアンテナ収納部９にアンテナ８を収納させてカバーパネル１０を超音波溶着によって固着した場合について述べたが、これに限らず、例えば腕時計ケース１の上面における中央部に時計ガラス３を超音波溶着によって取り付ける場合にも適用することができる。
【００５４】
さらに、上記実施形態１〜５およびその各変形例では、電子腕時計に適用した場合について述べたが、これに限らず、例えば携帯電話機、ＰＤＡ（パーソナル・デジタル・アシスタント）などの電子機器に広く適用することができる。
【図面の簡単な説明】
【００５５】
【図１】この発明を適用した電子腕時計の正面図である。（実施形態１）
【図２】図１のＡ−Ａ矢視における拡大断面図である。
【図３】図２の要部を示した拡大断面図である。
【図４】図３の更に要部を拡大して示した断面図である。
【図５】従来の嵌合部の構造を示した拡大断面図である。
【図６】この発明を適用した電子腕時計の要部を示した拡大断面図である。（実施形態２）
【図７】図６の更に要部を拡大して示した断面図である。
【図８】この発明を適用した電子腕時計の要部を示した拡大断面図である。（実施形態３）
【図９】図８の更に要部を拡大して示した断面図である。
【図１０】この発明を適用した電子腕時計の要部を示した拡大断面図である。（実施形態４）
【図１１】図１０の更に要部を拡大して示した断面図である。
【図１２】この発明を適用した電子腕時計の要部を示した拡大断面図である。（実施形態５）
【図１３】図１２の更に要部を拡大して示した断面図である。
【符号の説明】
【００５６】
１  腕時計ケース
９  アンテナ収納部
１０  カバーパネル
１２、４０、５０、６０、７０  嵌合部
１３、４１、５１、６１、７１  固着部
１４、４２、６２、７２  パッキン
１５、４３、５２、６３、７３  嵌合凸部
１６、４４、５３、６４、７４  嵌合凹部
１７  第１パッキン部
１８  第２パッキン部
１９  平面部
２０  側面部
４５、７６  凸側段差部
４６、７７  凹側段差部
５４、６５、７５  溝部
【図１】
2005091319.tif 000003
【図２】
2005091319.tif 000004
【図３】
2005091319.tif 000005
【図４】
2005091319.tif 000006
【図５】
2005091319.tif 000007
【図６】
2005091319.tif 000008
【図７】
2005091319.tif 000009
【図８】
2005091319.tif 000010
【図９】
2005091319.tif 000011
【図１０】
2005091319.tif 000012
【図１１】
2005091319.tif 000013
【図１２】
2005091319.tif 000014
【図１３】
2005091319.tif 000015